(57)【要約】【課題】止水性の高い止水リングを提供する。【解決手段】  コンクリート構造物９０に埋設されるセパレータ６１に取り付けられ、セパレータ６１沿う水の通流を止める止水リング１であって、セパレータ６１が挿通される挿通孔１１を有し非膨張性ゴムで形成された内側の内側層１０と、内側層１０の外側に水膨張性ゴムで形成されコンクリート構造物９０に密着する外側層２０と、を備え、内側層１０と外側層２０との境界面Ｓ１は周方向において凸凹である。【選択図】図３
0003224517.tif 000002
【実用新案登録請求の範囲】
【請求項１】
コンクリート構造物に埋設される棒状部材に取り付けられ、前記棒状部材に沿う水の通流を止める止水リングであって、
前記棒状部材が挿通される挿通孔を有し非膨張性ゴムで形成された内側の内側層と、
前記内側層の外側に水膨張性ゴムで形成され前記コンクリート構造物に密着する外側層と、
を備え、
前記内側層と前記外側層との境界面は周方向において凸凹である
ことを特徴とする止水リング。
【請求項２】
軸方向視において、前記内側層は径方向外向きに突出した四角状である複数の第１凸部を有し、前記外側層は径方向内向きに突出した四角状である複数の第２凸部を有し、
前記境界面は、前記複数の第１凸部と前記複数の第２凸部とが噛み合うことで構成されている
ことを特徴とする請求項１に記載の止水リング。
【請求項３】
前記第１凸部及び前記第２凸部は、軸方向全体に延びている
ことを特徴とする請求項２に記載の止水リング。
【考案の詳細な説明】
【技術分野】
【０００１】
本考案は、止水リングに関する。
【背景技術】
【０００２】
コンクリート構造物は、対向して配置された型枠の間に生コンクリートを打設し硬化させることで得られる。型枠は棒状のセパレータによって所定間隔で保持され、セパレータは硬化後のコンクリート構造物に残留する。そして、供用中において、セパレータに沿う水の通流を止めるために、セパレータに取り付けられる円盤状の止水リングが知られている（特許文献１参照）。
【先行技術文献】
【特許文献】
【０００３】
【特許文献１】特開２０１４−１３３９８７号公報
【考案の概要】
【考案が解決しようとする課題】
【０００４】
このような止水リングについては、止水性の向上が望まれている。
【０００５】
そこで、本考案は、止水性の高い止水リングを提供することを課題とする。
【課題を解決するための手段】
【０００６】
前記課題を解決するための手段として、本考案は、コンクリート構造物に埋設される棒状部材に取り付けられ、前記棒状部材に沿う水の通流を止める止水リングであって、前記棒状部材が挿通される挿通孔を有し非膨張性ゴムで形成された内側の内側層と、前記内側層の外側に水膨張性ゴムで形成され前記コンクリート構造物に密着する外側層と、を備え、前記内側層と前記外側層との境界面は周方向において凸凹であることを特徴とする止水リングである。
【０００７】
このような構成によれば、内側層と外側層との境界面は周方向において凸凹であるので、つまり、内側層の径方向外向きに突出した第１凸部と、外側層の径方向内向きに突出した第２凸部とが、周方向において、交互に配置されることになる。そして、コンクリート構造物の供用中、水膨張性ゴムで形成された第２凸部を含む外側層が水を吸収すると、外側層が体積膨張する。
【０００８】
そうすると、第２凸部を含む外側層が径方向内向きに大きくなり、外側層が内側層を径方向内向きに押す。このように内側層が径方向内向きに押されるので、内側層は棒状部材にさらに密着する。このようにして、内側層と棒状部材との間がさらにシールされるので、内側層と棒状部材との間において水がさらに通流し難くなり、止水性が高くなる。
【０００９】
これに並行して、径方向外向きにも大きくなる外側層は、その外側のコンクリート構造物にさらに密着する。このようにして、外側層とコンクリート構造物との間がさらにシールされるので、外側層とコンクリート構造物との間において水がさらに通流し難くなり、止水性が高くなる。
【００１０】
また、軸方向視において、前記内側層は径方向外向きに突出した四角状である複数の第１凸部を有し、前記外側層は径方向内向きに突出した四角状である複数の第２凸部を有し、前記境界面は、前記複数の第１凸部と前記複数の第２凸部とが噛み合うことで構成されている構成としてもよい。
【００１１】
このような構成によれば、四角状である複数の第１凸部と、四角状である複数の第２凸部とが、周方向において噛み合うことで、凸凹の境界面が形成されている。すなわち、第１凸部の径方向外側の第１頂面と、第２凸部の径方向内側の第２頂面とは、周方向に沿う面、つまり、概ね径方向と直交する面となっている。言い換えると、内側層において第２凸部が嵌合する第１溝の第１底面と、外側層において第１凸部が嵌合する第２溝の第２底面とは、周方向に沿う面、つまり、径方向と直交する面となっている。これにより、水を吸収し膨張する外側層の膨張力が、内側層に良好に伝達し、内側層が棒状部材にさらに密着し易くなる。
【００１２】
また、四角状である複数の第１凸部と、四角状である複数の第２凸部とが、周方向において噛み合っているので、内側層と外側層とが周方向においてずれることはない。
【００１３】
また、前記第１凸部及び前記第２凸部は、軸方向全体に延びている構成としてもよい。
【００１４】
このような構成によれば、第１凸部及び第２凸部が止水リングの軸方向全体に延びているので、水を吸収し膨張する外側層の膨張力が軸方向全体において内側層に良好に伝達する。
【考案の効果】
【００１５】
本考案によれば、止水性の高い止水リングを提供することができる。
【図面の簡単な説明】
【００１６】
【図１】本実施形態に係る止水リングをセパレータに取り付けた状態を示す縦断面図である。
【図２】本実施形態に係る止水リングの斜視図である。
【図３】本実施形態に係る止水リングの正面図である。
【考案を実施するための形態】
【００１７】
≪止水リングの構成≫
本考案の一実施形態について、図１〜図３を参照して説明する。本実施形態に係る止水リング１は、セパレータ６１（棒状部材）に取り付けられる部材である。セパレータ６１は、コンクリート構造物９０（ビル壁等）の構築時であるコンクリート成形時、対向して配置された型枠５１、５１を所定間隔で保持する棒状の部材である。セパレータ６１の各端部６１ａは型枠５１を貫通し、型枠５１から突出する各端部６１ａに螺合したナット６２が型枠５１を位置決めしている。生コンクリートは型枠５１、５１の間に打設され、セパレータ６１はコンクリート構造物９０内に残留する。
【００１８】
≪止水リングの構成≫
止水リング１は、コンクリート構造物９０の供用中、セパレータ６１に沿う水の通流を止めるゴム製の部材である。止水リング１は、薄型円盤状の部材であって、径方向において内側の内側層１０と、内側層１０の外側に形成された外側層２０と、を備えている。すなわち、止水リング１は、内側層１０と外側層２０とを備える二層構造の部材である。止水リング１の厚さＴ１は、止水リング１の外径Ｄ１の半分よりも大きく設計されている（Ｔ１＞Ｄ１／２）。なお、止水リング１の厚さＴ１が大きくなると、内側層１０及び外側層２０も軸方向に厚くなり、体積膨張可能な外側層２０が軸方向において大きくなるので、止水リング１の止水性が長寿命化する。
【００１９】
＜内側層＞
内側層１０は、止水リング１の径方向内側（中心側）を構成する円盤状の部分である。内側層１０は、その中心にセパレータ６１が挿通される挿通孔１１を有している。挿通孔１１の直径Ｄ１１は、セパレータ６１の直径の８５〜９５％、好ましくは８８〜９０％に設計されている。これにより、内側層１０がセパレータ６１に良好に密着し、生コンクリートが所定圧力で注入されても軸方向に位置ずれしないようになっている。また、内側層１０とセパレータ６１との間が良好にシールされ、内側層１０とセパレータ６１との間における止水性が高められている。
【００２０】
内側層１０は、非膨張性ゴムで形成されている。非膨張性ゴムは、水（雨水、漏水等）に曝されたとしても体積膨張しないゴムであり、後記する吸水性ポリマーを含有しない。非膨張性ゴムとしては、例えば、クロロプレンゴム（ＣＲ）、エチレン・プロピレン・ジエンゴム（ＥＰＤＭ）、スチレン・ブタジエンゴム（ＳＢＲ）、イソプレンゴム（ＩＲ）から選択される少なくとも１種と、その他材料（充填剤、軟化剤、可塑剤、架橋剤、劣化防止剤等）とを混合することで使用される。配合比は使用条件等に基づいて適宜に調整される。
【００２１】
内側層１０は、軸方向視において、その外周面に径方向外向きに突出した四角状である複数の第１凸部１２を有している。なお、第１凸部１２及び後記する第２凸部２２の数は変更自由である。各第１凸部１２の第１頂面１２ａは、周方向に沿う面、つまり、概ね径方向と直交する面である。複数の第１凸部１２は周方向において等間隔で配置されている。そして、周方向において隣り合う第１凸部１２、１２の間には、後記する第２凸部２２が嵌合する第１溝１３が形成されている。各第１溝１３の第１底面１３ａは、周方向に沿う面、つまり、概ね径方向と直交する面である。
【００２２】
＜外側層＞
外側層２０は、止水リング１の径方向外側を構成するリング状の部分である。そして、外側層２０の外周面は、供用中、コンクリート構造物９０に密着するようになっている。なお、外側層２０の一部は、生コンクリートの打設時、生コンクリート中の水を吸収して体積膨張し、生コンクリートが硬化してなるコンクリート構造物９０に密着結合する。
【００２３】
外側層２０は、水膨張性ゴムで形成されている。水膨張性ゴムは、水（雨水、漏水等）に曝されると、水を吸収し体積膨張するゴムである。非膨張性ゴムとしては、例えば、クロロプレンゴム（ＣＲ）、エチレン・プロピレン・ジエンゴム（ＥＰＤＭ）、スチレン・ブタジエンゴム（ＳＢＲ）、イソプレンゴム（ＩＲ）から選択される少なくとも１種と、吸水性ポリマーと、その他材料とを混合することで使用される。配合比は使用条件等に基づいて適宜に調整される。
【００２４】
吸水性ポリマーは、水を吸収可能なポリマーであって、吸水すると体積膨張するポリマーである。吸水性ポリマーとしては、例えば、ポリアクリル酸塩系、酢酸ビニル・アクリル酸エステル共重合体ケン化物、ポリビニルアルコール・無水マレイン酸反応物、イソブチレン・マレイン酸共重合体架橋物、ポリアクリロニトリル系ケン化物、ポリエチレンオキシド系、デンプン・アクリロニトリルグラフト共重合体ケン化物、デンプン・アクリル酸グラフト重合体、カルボキシメチルセルロース架橋体等を使用できる。
【００２５】
外側層２０は、軸方向視において、その内周面に径方向内向きに突出した四角状である複数の第２凸部２２を有している。各第２凸部２２の第２頂面２２ａは、周方向に沿う面、つまり、概ね径方向と直交する面である。複数の第２凸部２２は周方向において等間隔で配置されている。そして、周方向において隣り合う第２凸部２２、２２の間には、第１凸部１２が嵌合する第２溝２３が形成されている。各第２溝２３の第２底面２３ａは、周方向に沿う面、つまり、概ね径方向と直交する面である。
【００２６】
このように、第２凸部２２の第２頂面２２ａと、これに合わさる第１溝１３の第１底面１３ａとが、概ね径方向と直交する面であるので、膨張する外側層２０が内側層１０を径方向内向きに良好に押すようになっている。これにより、内側層１０がセパレータ６１に良好に密着するようになっている。
【００２７】
これに加えて、第１凸部１２の第１頂面１２ａと、これに合わさる第２溝２３の第２底面２３ａとが概ね径方向と直交する面であるので、外側層２０がその径方向内側を内側層１０で支持された状態で径方向外向きに膨張するようになっている。これにより、外側層２０がコンクリート構造物９０に良好に密着するようになっている。
【００２８】
周方向において、第２凸部２２の幅Ｗ２２は、第１凸部１２の幅Ｗ１２よりも大きく構成されており（Ｗ２２＞Ｗ１２）、本実施形態では略２倍である。これにより、外側層２０の膨張力が内側層１０に良好に伝達し、内側層１０がセパレータ６１にさらに密着するようになっている。
【００２９】
第２凸部２２と、第１凸部１２とは、止水リング１において軸方向全体に延びている。これにより、水を吸収し膨張する外側層２０の膨張力が軸方向全体において内側層１０に良好に伝達するようになっている。
【００３０】
外側層２０は、青色、緑色、オレンジ色等の目視し易い色に着色されている。これにより、生コンクリートの打設前において、止水リング１の取付けの有無が容易に確認可能となっている。また、セパレータ６１への取り付け前において、膨張の有無も容易に確認可能となっている。
【００３１】
＜境界面＞
内側層１０と外側層２０との間に形成される境界面Ｓ１は周方向において凸凹である。具体的に、境界面Ｓ１は、内側層１０の複数の第１凸部１２と、外側層２０複数の第２凸部２２とが周方向において噛み合うことで構成されており、周方向において直線状の凸凹線を繰り返すクサビ状（フィンガージョイント状）を呈している。このように、四角状である第１凸部１２と、四角状である第２凸部２２とが、周方向において噛み合っているので、内側層１０と外側層２０とが周方向においてずれることはない。
【００３２】
≪止水リングの一製造方法≫
このような二層構造の止水リング１は、例えば、内側層１０及び外側層２０に対応した成型口を有する金型を使用して、内側層１０となる内側層用ゴム材料と、外側層２０となる外側層用ゴム材料とを押し出し成型（二色成型）し、成形品を所定長さで切断することで製造できる。
【００３３】
≪止水リングの作用効果≫
止水リング１の作用効果を説明する。
コンクリート構造物９０の供用中、外側層２０が水を吸収すると体積膨張し、径方向及び軸方向において大きくなる。
【００３４】
具体的には、第２凸部２２を含む外側層２０が径方向に大きくなり、外側層２０が内側層１０を径方向内向きに押す（図３、矢印Ａ１参照）。このように内側層１０が径方向内向きに押されるので（図３、矢印Ａ２参照）、内側層１０がセパレータ６１にさらに密着する。このようにして、内側層１０とセパレータ６１との間がさらにシールされるので、内側層１０とセパレータ６１との間で水がさらに通流し難くなり、止水性が高くなる。
【００３５】
これに並行して、径方向外向きにも大きくなる外側層２０は、コンクリート構造物９０にさらに密着する（図３、矢印Ａ３参照）。このようにして、外側層２０とコンクリート構造物９０との間がさらにシールされるので、外側層２０とコンクリート構造物との間で水がさらに通流し難くなり、止水性が高くなる。
【００３６】
以上、本考案の一実施形態について説明したが、本考案はこれに限定されず、例えば、次のように変更してもよい。
【００３７】
前記した実施形態では、コンクリート構造物９０に埋設される棒状部材がセパレータ６１である構成を例示したが、その他に例えば、棒状部材が、コンクリート壁に埋設された鉄筋、コンクリート壁を貫通する排水用配管である構成でもよい。すなわち、棒状部材は管状であってもよい。
【００３８】
前記した実施形態では、境界面Ｓ１が、軸方向視において四角状の第１凸部１２と、四角形状の第２凸部２２とが噛み合うことで、周方向において直線状の凸凹線を繰り返す凹凸面である構成を例示したが、その他に例えば、曲線状の凸凹線を繰り返す凹凸面である構成、つまり、境界面Ｓ１が波形である構成でもよい。その他、軸方向視において三角状の第１凸部１２と、三角形状の第２凸部２２とが噛み合う構成としてもよい。
【００３９】
前記した実施形態では、径方向において、第１凸部１２の高さと、第２凸部２２の高さとが略同一である構成を例示したが、その他に例えば、第２凸部２２が第１凸部１２よりも高い構成でもよい。
【００４０】
前記した実施形態では、周方向において、第２凸部２２の幅Ｗ２２が、第１凸部１２の幅Ｗ１２よりも大きい構成を例示したが（Ｗ２２＞Ｗ１２）、その他に例えば、第２凸部２２の幅Ｗ２２が、第１凸部１２の幅Ｗ１２よりも小さい構成でもよい（Ｗ２２＜Ｗ１２）。
【符号の説明】
【００４１】
１      止水リング
１０    内側層
１１    挿通孔
１２    第１凸部
２０    外側層
２２    第２凸部
６１    セパレータ（棒状部材）
９０    コンクリート構造物
Ｓ１    境界面
【図１】
0003224517.tif 000003
【図２】
0003224517.tif 000004
【図３】
0003224517.tif 000005